(57)【要約】【課題】小サイズのシートをストッパで確実に止めつつ、大サイズのシートがストッパに引っ掛かる可能性を低くする。【解決手段】複合機１０は、筐体１４から前向きに排出される用紙１５を支持可能であり、筐体１４に収納された収納位置、及び収納位置よりも前方の突出位置に移動可能に筐体１４によって支持された第１トレイ８１と、第１トレイ８１に回動可能に支持された第２トレイ８２と、第２トレイ８２に回動可能に支持され、回動先端が上面１１１Ａよりも上方に位置する第１位置、及び回動先端が第１位置よりも下方且つ前方であって、且つ、回動先端が第２トレイ８２よりも前方に位置する第２位置に回動するストッパ８３と、ストッパ８３を第１位置に保持する保持部と、第１トレイ８１が突出位置から収納位置へ移動する過程で、ストッパ８３と当接して第２位置から第１位置へガイドするガイド部８４とを備える。【選択図】図３
2020050490.tif 000002
【特許請求の範囲】
【請求項１】
シートの搬送路を有する筐体と、
上記筐体から第１向きに排出されるシートを支持する支持面を有しており、上記筐体に収納された収納位置、及び上記収納位置よりも上記第１向きの突出位置に移動可能に、上記筐体に支持されたトレイと、
上記トレイに回動可能に支持されており、回動先端が上記支持面よりも上方に位置する第１位置、及び上記回動先端が上記第１位置よりも下方且つ上記第１向きであって、且つ、上記回動先端が上記トレイよりも上記第１向きに位置する第２位置に回動するストッパと、
上記ストッパを上記第１位置に保持する保持部と、
上記筐体に設けられており、上記トレイが上記突出位置から上記収納位置へ移動する過程において、上記ストッパと当接して上記ストッパを上記第２位置から上記第１位置へガイドするガイド部と、を備える搬送装置。
【請求項２】
上記筐体に設けられており、上記トレイに対して上記突出位置から上記収納位置への移動に対する制動力を作用させる制動部を備える請求項１に記載の搬送装置。
【請求項３】
上記制動部は、上記筐体に設けられた一対のガイド面であり、
上記一対のガイド面は、それぞれが上記第１向きへ延びており、
上記一対のガイド面の上記第１向きと直交する直交方向における間隔は、上記第１向きと逆向きへ向かうにしたがって漸次短くなっており、上記第１向きと逆向きの端部において上記トレイにおける上記一対のガイド面の間に位置する部分よりも短い請求項２に記載の搬送装置。
【請求項４】
上記ストッパの上記第２位置から上記第１位置への回動、及び上記ストッパの上記第１位置から上記第２位置への回動のそれぞれに対して抵抗として作用する抵抗部を備え、
上記ストッパの上記第２位置から上記第１位置への回動に対して上記抵抗部によって作用する抵抗は、上記ストッパの上記第１位置から上記第２位置への回動に対して上記抵抗部によって作用する抵抗よりも小さい請求項１から３のいずれかに記載の搬送装置。
【請求項５】
上記抵抗部は、
上記トレイまたは上記ストッパの一方から突出した突起と、
上記トレイまたは上記ストッパの他方に設けられた第１面及び第２面と、を備え、
上記ストッパの上記第２位置から上記第１位置への回動過程において、上記突起は上記第１面に当接してガイドされ、
上記ストッパの上記第１位置から上記第２位置への回動過程において、上記突起は上記第２面に当接してガイドされ、
上記ストッパとともに回動する上記突起または上記第１面及び上記第２面の回動軌跡に対する上記第１面のなす第１角、及び上記回動軌跡に対する上記第２面のなす第２角は、いずれも鋭角であり、
上記第１角は、上記第２角より大きい請求項４に記載の搬送装置。
【請求項６】
上記ガイド部に対する上記ストッパの反対側に、上記ガイド部を上記ストッパへ向けて付勢する付勢部材を備える請求項１から５のいずれかに記載の搬送装置。
【請求項７】
上記トレイは、上記第２位置の上記ストッパが上記第１位置から遠ざかる向きへ回動することを規制する規制部を備える請求項１から６のいずれかに記載の搬送装置。
【請求項８】
請求項１から７のいずれかに記載の搬送装置と、
上記筐体に設けられており、シートに画像を記録する記録部と、
上記記録部によって画像を記録されたシートを上記筐体から排出する排出部と、を備える画像記録装置。
【発明の詳細な説明】
【技術分野】
【０００１】
本発明は、筐体から排出されるシートを支持するトレイを有する搬送装置、及び当該搬送装置を有する画像記録装置に関する。
【背景技術】
【０００２】
シートを搬送路に沿って搬送させる搬送装置が知られている。搬送装置を備える装置として、例えばシートに画像を記録する画像記録装置が挙げられる。
【０００３】
搬送装置は、排出されるシートを支持するトレイを備えている。トレイは、搬送装置の非使用時において搬送装置に収納されており、搬送装置の使用時において搬送装置から引き出される。また、トレイの多くに、ストッパが設けられている。
【０００４】
例えば、ストッパは、トレイのシート支持面と概ね平行にトレイの先端から突出した突出姿勢と、シート支持面から概ね上方へ突出した直立姿勢とに回動可能に、トレイによって支持されている。所定サイズのシートが搬送装置から排出される場合に、ストッパが直立姿勢とされる。これにより、所定サイズのシートはストッパに当接するため、シートがトレイを通過して落下することが防止可能であり、また、排出された複数のシートをストッパに当接させることで整列することができる。また、所定サイズよりも大きなサイズのシートが搬送装置から排出される場合にストッパが直立姿勢のままであると、当該シートがストッパに引っ掛かるおそれがある。そこで、この場合、ストッパは突出姿勢とされる。これにより、シートの引っ掛かりを防止するとともに、当該シートをトレイ及びストッパによって支持可能となる。
【０００５】
また、例えば、特許文献１には、トレイが引き出される過程において、ストッパが自重によって回転して直立姿勢となるプリンタが開示されている。
【先行技術文献】
【特許文献】
【０００６】
【特許文献１】特開２００６−１６１７１号公報
【発明の概要】
【発明が解決しようとする課題】
【０００７】
しかしながら、ストッパがトレイによって回動可能に支持された構成の場合、以下の問題が発生する。通常、ストッパはデフォルトで突出姿勢とされているため、所定サイズのシートが排出される場合に、その都度、ストッパを手動で直立姿勢に回動させる必要がある。また、ユーザによっては、ストッパを直立姿勢に回動させずに突出姿勢のままで所定サイズのシートを排出させる場合がある。この場合、排出された複数のシートをストッパに当接させて整列することができない。
【０００８】
特許文献１に開示されたプリンタの場合、トレイが引き出される際に、ストッパが自動的に直立姿勢となるため、所定サイズのシートが排出される場合に、その都度、ストッパを手動で直立姿勢に回動させる必要がない。しかしながら、特許文献１に開示されたプリンタの場合、トレイが引き出された状態において、ストッパは必ず直立姿勢である。そのため、所定サイズよりも大きなサイズのシートが排出される場合、当該シートはストッパに引っ掛かるおそれがある。
【０００９】
本発明は、上記問題に鑑みてなされたものであり、その目的は、排出された小さなサイズのシートをストッパで確実に止めつつ、排出された大きなサイズのシートがストッパに引っ掛かる可能性を低くすることができる搬送装置を提供することにある。
【課題を解決するための手段】
【００１０】
本発明に係る搬送装置は、シートの搬送路を有する筐体と、上記筐体から第１向きに排出されるシートを支持する支持面を有しており、上記筐体に収納された収納位置、及び上記収納位置よりも上記第１向きの突出位置に移動可能に、上記筐体に支持されたトレイと、上記トレイに回動可能に支持されており、回動先端が上記支持面よりも上方に位置する第１位置、及び上記回動先端が上記第１位置よりも下方且つ上記第１向きであって、且つ、上記回動先端が上記トレイよりも上記第１向きに位置する第２位置に回動するストッパと、上記ストッパを上記第１位置に保持する保持部と、上記筐体に設けられており、上記トレイが上記突出位置から上記収納位置へ移動する過程において、上記ストッパと当接して上記ストッパを上記第２位置から上記第１位置へガイドするガイド部と、を備える。
【００１１】
本構成によれば、トレイが上記突出位置から上記収納位置へ移動する過程において、ストッパは、ガイド部と当接して案内されることによって、第１位置へ回動し、保持部によって第１位置に保持された状態となる。これにより、トレイが収納位置から突出位置へスライドされたとき、ストッパは第１位置である。そのため、排出された所定サイズのシートをストッパによって止めることができる。
【００１２】
また、本構成によれば、トレイが突出位置のときに、ストッパは第１位置及び第２位置に回動可能である。そのため、所定サイズよりも大きなサイズのシートが排出される際にストッパが第２位置に回動されることにより、当該シートがストッパに引っ掛かる可能性を低くできるとともに、当該シートをトレイ及びストッパの双方によって支持することができる。
【発明の効果】
【００１３】
本発明によれば、排出された小さなサイズのシートをストッパで確実に止めつつ、排出された大きなサイズのシートがストッパに引っ掛かる可能性を低くすることができる。
【図面の簡単な説明】
【００１４】
【図１】図１は、複合機１０の斜視図である。
【図２】図２は、プリンタ部１２の内部構造を模式的に示す縦断面図である。
【図３】図３は、第１トレイ８１が収納位置であり、第２トレイ８２が倒伏位置であり、ストッパ８３が第１位置である排出トレイ２１を示しており、（Ａ）は斜視図であり、（Ｂ）は（Ａ）のＢ−Ｂ断面を示す断面図である。
【図４】図４は、第１トレイ８１が突出位置であり、第２トレイ８２が倒伏位置であり、ストッパ８３が第２位置である排出トレイ２１を示しており、（Ａ）は斜視図であり、（Ｂ）は（Ａ）のＢ−Ｂ断面を示す断面図である。
【図５】図５は、第１トレイ８１が突出位置であり、第２トレイ８２が起立位置であり、ストッパ８３が第２位置である排出トレイ２１を示しており、（Ａ）は斜視図であり、（Ｂ）は（Ａ）のＢ−Ｂ断面を示す断面図である。
【図６】図６は、第１トレイ８１が突出位置であり、第２トレイ８２が起立位置であり、ストッパ８３が第１位置である排出トレイ２１を示しており、（Ａ）は斜視図であり、（Ｂ）は（Ａ）のＢ−Ｂ断面を示す断面図である。
【図７】図７は、本体トレイ８０及び第１トレイ８１の断面図を示しており、（Ａ）は第１トレイ８１が突出位置の状態を示し、（Ｂ）は第１トレイ８１が収納位置の状態を示す。
【図８】図８は、第２トレイ８２及び第２位置のストッパ８３の断面図を示す。
【図９】図９は、第２トレイ８２及び第１位置のストッパ８３の断面図を示す。
【図１０】図１０は、変形例における排出トレイ２１の断面図を示しており、（Ａ）は第１トレイ８１が収納位置且つストッパ８３が第１位置の状態であり、（Ｂ）は第１トレイ８１が突出位置且つストッパ８３が第２位置の状態であり、（Ｃ）は第１トレイ８１が突出位置且つストッパ８３が第１位置の状態である。
【発明を実施するための形態】
【００１５】
以下、本発明の実施形態に係る複合機１０について説明する。なお、以下に説明される実施形態は本発明の一例にすぎず、本発明の要旨を変更しない範囲で、実施形態を適宜変更できることは言うまでもない。以下の説明においては、複合機１０が使用可能に設置された状態（図１の状態）を基準として、上下方向７が定義され、開口１３が設けられている面を正面２２（前面）として前後方向８が定義され、複合機１０を前方から後方に視て左右方向９が定義される。上下方向７、前後方向８、及び左右方向９は互いに直交している。本実施形態では、上下方向７が鉛直方向に相当し、前後方向８及び左右方向９が水平方向に相当する。
【００１６】
［複合機１０の全体構成］
図１に示されるように、複合機１０は、上部に、原稿に記録された画像を読み取って画像データを取得するスキャナ部１１を備えており、下部に、画像データなどに基づいて、用紙１５（シートの一例、図２参照）に画像を記録するプリンタ部１２（画像記録装置の一例）を備えている。
【００１７】
スキャナ部１１は、所謂フラットベッドスキャナとして構成されている。ここでは、スキャナ部１１の構成の詳細な説明は省略される。プリンタ部１２は、搬送装置と、用紙１５に画像を記録する記録部２４（図２参照）とを備えている。
【００１８】
搬送装置は、内部に、用紙１５が搬送される搬送路２３が形成された筐体１４（図１参照）、給送トレイ２０（図１及び図２参照）、給送ローラ２５（図２参照）、搬送ローラ対６３（図２参照）、排出ローラ対６６（排出部の一例、図２参照）、及び排出トレイ２１（図１及び図２参照）を備えている。
【００１９】
図１に示されるように、筐体１４は、正面２２に開口１３を有している。給送トレイ２０は、開口１３を通じて後方にスライドされることによって、筐体１４の内部へ挿入可能である。筐体１４に装着された給送トレイ２０（図１に示される状態の給送トレイ２０）は、開口１３を通じて前方にスライドされることによって、筐体１４から脱抜可能である。給送トレイ２０は、各種サイズの用紙１５を収容可能である。
【００２０】
図２に示されるように、給送トレイ２０は、用紙１５が支持される底板７４と、底板７４の左右両端から上向きに立設された一対の側板（不図示）とを備えている。底板７４に支持された用紙１５は、モータ（不図示）から駆動力が伝達されることによって回転する給送ローラ２５によって搬送路２３へ給送される。
【００２１】
搬送路２３は、給送トレイ２０の後端部を基点として、下方から上方に延びつつＵターンしてから、前方に延びて排出トレイ２１に至る通路である。搬送路２３は、所定間隔を隔てて互いに対向する第１ガイド部材３１及び第２ガイド部材３２によって構成される空間である。用紙１５は、給送トレイ２０から搬送路２３に給送され、搬送路２３を、図２に破線矢印で示される向きである搬送向き１６に搬送される。
【００２２】
搬送ローラ対６３及び排出ローラ対６６は、筐体１４の内部に設けられている。
【００２３】
搬送ローラ対６３は、搬送路２３に位置している。搬送ローラ対６３は、搬送ローラ６１及びピンチローラ６２よりなる。ピンチローラ６２は、バネなどの弾性部材（不図示）によって搬送ローラ６１のローラ面に圧接されている。
【００２４】
排出ローラ対６６は、搬送路２３における搬送ローラ対６３よりも搬送向き１６の下流に位置している。排出ローラ対６６は、排出ローラ６４及び拍車６５よりなる。拍車６５は、バネなどの弾性部材（不図示）によって排出ローラ６４のローラ面に圧接されている。
【００２５】
搬送ローラ６１及び排出ローラ６４は、モータ（不図示）から駆動力が伝達されることによって回転され、ピンチローラ６２及び拍車６５との間に用紙１５を挟持しつつ搬送向き１６に搬送する。
【００２６】
記録部２４は、筐体１４の内部に設けられている。記録部２４は、搬送路２３における搬送ローラ対６３及び排出ローラ対６６の間に位置している。記録部２４は、搬送路２３の上方に位置している。記録部２４は、記録ヘッド３７と、記録ヘッド３７を搭載したキャリッジ３８とを備えている。
【００２７】
記録ヘッド３７には、インクカートリッジ（不図示）から供給されたインクを、プラテン６７に向けて吐出するための複数のノズル３６が形成されている。プラテン６７は、搬送路２３を搬送される用紙１５を支持する部材である。プラテン６７は、搬送路２３の下方に記録ヘッド３７と対向して配置されている。
【００２８】
キャリッジ３８は、筐体１４の内部に配置されたフレームによって左右方向９に移動可能に支持されている。
【００２９】
キャリッジ３８が移動されながら、プラテン６７に支持された用紙１５に向けてノズル３６からインク滴が吐出される。これにより、用紙１５に画像が記録される。なお、本実施形態において、記録部２４が用紙１５に画像を記録する方式は、インクジェット記録方式であるが、画像を記録する方式はインクジェット記録方式に限らず、例えば電子写真方式などであってもよい。
【００３０】
排出トレイ２１は、給送トレイ２０の上方に位置している。本実施形態において、排出トレイ２１は、筐体１４に支持されている。なお、排出トレイ２１は、給送トレイ２０に支持されていてもよい。
【００３１】
給送トレイ２０に支持された用紙１５は、給送ローラ２５によって搬送路２３へ給送される。搬送路２３へ給送された用紙１５は、搬送ローラ対６３によって記録部２４へ搬送され、記録部２４によって画像を記録される。画像を記録された用紙１５は、排出ローラ対６６によって前方に搬送されて排出トレイ２１に排出され、排出トレイ２１に支持される。なお、排出トレイ２１については、以下において詳細に説明される。
【００３２】
［排出トレイ２１］
図３〜図６に示されるように、排出トレイ２１は、本体トレイ８０、第１トレイ８１、第２トレイ８２、及びストッパ８３を備えている。第１トレイ８１及び第２トレイ８２は、トレイの一例である。
【００３３】
本体トレイ８０は、その左右両端部を、筐体１４によって支持されている。第１トレイ８１は、本体トレイ８０によって前後方向８に移動可能に支持されている。第２トレイ８２は、第１トレイ８１によって回動可能に支持されている。ストッパ８３は、第２トレイ８２によって回動可能に支持されている。
【００３４】
［本体トレイ８０］
図３に示されるように、本体トレイ８０は、支持板１０１と、一対の側板１０２と、後板１０５とを備えている。支持板１０１の上面１０１Ａは、排出ローラ対６６によって排出された用紙１５を支持可能である。一対の側板１０２は、支持板１０１の左右両端部から下方へ突出しており、且つ、前後方向８へ延びている。後板１０５は、支持板１０１の後端部から下方へ突出しており、且つ、左右方向９へ延びている。一対の側板１０２または後板１０５の少なくとも一方は、筐体１４に固定されている。これにより、本体トレイ８０は、筐体１４の一部を構成している。
【００３５】
図７に示されるように、一対の側板１０２の各々は、２本のガイドリブ１０３、１０４を備えている。なお、図７には、一対の側板１０２のうち、支持板１０１の左端部に設けられた側板１０２のみが記されている。図７では、後述するガイド部８４及びコイルバネ８５の図示が省略されている。また、図３〜図６では、ガイドリブ１０３、１０４の図示が省略されている。
【００３６】
ガイドリブ１０３、１０４は、上下方向７（直交方向の一例）において対向している。ガイドリブ１０３は、ガイドリブ１０４の上方に位置している。ガイドリブ１０３の下面１０３Ａ、及びガイドリブ１０４の上面１０４Ａは、概ね前後方向８へ延びている。本実施形態において、ガイドリブ１０４が前後方向８へ延びている一方、ガイドリブ１０３は後方へ向かうにしたがって下方へ向かって延びている。これにより、下面１０３Ａと上面１０４Ａとの間の上下方向７の間隔は、後方へ向かうにしたがって漸次短くなっている。下面１０３Ａ及び上面１０４Ａは、制動部及び一対のガイド面の一例である。
【００３７】
［第１トレイ８１］
図５に示されるように、第１トレイ８１は、支持板１１１と、一対の側板１１２とを備えている。
【００３８】
支持板１１１の上面１１１Ａ（支持面の一例）は、排出ローラ対６６によって排出された用紙１５を支持可能である。支持板１１１には、その後端から前方へ凹んだ凹部１１３が形成されている。
【００３９】
一対の側板１１２は、支持板１１１の左右両端部から上方へ突出しており、且つ、前後方向８へ延びている。
【００４０】
図７に示されるように、一対の側板１１２の各々は、左右方向９の外側へ突出し且つ前後方向８に延びたリブ１１４を備えている。なお、図７には、一対の側板１０２のうち、支持板１０１の左端部に設けられた側板１０２のみが記されている。また、図３〜図６では、リブ１１４の図示が省略されている。
【００４１】
リブ１１４の各々は、上下方向７における本体トレイ８０のガイドリブ１０３、１０４の間に入り込んでおり、ガイドリブ１０４に支持されている。つまり、リブ１１４は、第１トレイ８１におけるガイドリブ１０３の下面１０３Ａとガイドリブ１０４の上面１０４Ａとの間に位置する部分に相当する。
【００４２】
第１トレイ８１は、リブ１１４の各々がガイドリブ１０４に支持されることで、本体トレイ８０によって前後方向８にスライド可能に支持されている。
【００４３】
第１トレイ８１は、図３に示される収納位置と、図４〜図６に示される突出位置とにスライド可能である。なお、図示されていないが本体トレイ８０または第１トレイ８１の少なくとも一方には、第１トレイ８１を収納位置より後方へ移動させないためのストッパ構造、及び第１トレイ８１を突出位置より前方へ移動させないためのストッパ構造が設けられている。
【００４４】
第１トレイ８１は、本体トレイ８０に対して用紙１５の排出向きである前向き（第１向きの一例）にスライドすることで、本体トレイ８０から引き出される。つまり、この場合、第１トレイ８１は、収納位置から突出位置へスライドする。第１トレイ８１は、本体トレイ８０に対して後方にスライドすることで、本体トレイ８０に収納される。つまり、この場合、第１トレイ８１は、突出位置から収納位置へスライドする。
【００４５】
図３及び図７（Ｂ）に示されるように、収納位置の第１トレイ８１は、本体トレイ８０の支持板１０１、一対の側板１０２、及び後板１０５に囲まれた空間に収納されている。つまり、収納位置の第１トレイ８１は、筐体１４に収納されている。
【００４６】
図４及び図７（Ａ）に示されるように、突出位置の第１トレイ８１は、収納位置よりも前方に位置している。第１トレイ８１が突出位置のとき、支持板１１１の上面１１１Ａには、排出ローラ対６６によって排出された用紙１５が支持可能である。
【００４７】
ここで、図７に示されるように、リブ１１４の上下方向７の長さは、本体トレイ８０の後端部におけるガイドリブ１０３、１０４の上下方向７の間隔より長く、本体トレイ８０の後端部以外におけるガイドリブ１０３、１０４の上下方向７の間隔より短い。そのため、第１トレイ８１が突出位置から収納位置へスライドする過程において、リブ１１４がガイドリブ１０３に下方から当接する。すると、ガイドリブ１０３が第１トレイ８１の収納位置へのスライドに対する抵抗として作用する。つまり、ガイドリブ１０３、１０４は、第１トレイ８１に対して突出位置から収納位置への移動に対する制動力を作用させる。なお、第１トレイ８１に対して制動力を作用させるための構造は、上述した構造に限らず、公知の種々の構造が採用可能である。
【００４８】
［第２トレイ８２］
図５に示されるように、第２トレイ８２は、板形状である。第２トレイ８２は、第１トレイ８１によって回動可能に支持されている。なお、第１トレイ８１が第２トレイ８２を支持する構造は図示されていないが、公知の構造が採用される。例えば、第２トレイ８２の左右両端から突出した突起が、第１トレイ８１の一対の側板１１２の前端部に形成された貫通孔に挿入されることによって、第２トレイ８２が第１トレイに８１によって回動可能に支持される。
【００４９】
第２トレイ８２には、その回動先端部から回動基端部へ向けて凹んだ凹部１２１が形成されている。
【００５０】
第２トレイ８２は、図５及び図６に示される起立位置と、図４に示される倒伏位置とに回動可能である。なお、図示されていないが第１トレイ８１または第２トレイ８２の少なくとも一方には、起立位置の第２トレイ８２を倒伏位置から遠ざかる向きへ回動させないためのストッパ構造、及び倒伏位置の第２トレイ８２を起立位置から遠ざかる向きへ回動させないためのストッパ構造が設けられている。
【００５１】
図５に示されるように、起立位置の第２トレイ８２は、第１トレイ８１の前端部から前方且つ上方へ突出している。第２トレイ８２の面のうち、第２トレイ８２が起立位置のときに上方を向く面１２２（支持面の一例）は、排出ローラ対６６によって排出された用紙１５を支持可能である。
【００５２】
図４に示されるように、倒伏位置の第２トレイ８２は、第１トレイ８１の支持板１１１及び一対の側板１１２に囲まれた空間に収納されている。このとき、第２トレイ８２の面のうち、第２トレイ８２が倒伏位置のときに上方を向く面１２３には、排出ローラ対６６によって排出された用紙１５が支持可能である。面１２３は、面１２２の裏面である。
【００５３】
［ストッパ８３］
図５に示されるように、ストッパ８３は、板形状である。ストッパ８３の一部は、第２トレイ８２の凹部１２１に位置している。ストッパ８３は、第２トレイ８２によって矢印５２（図５参照）の向き及び矢印５３（図６参照）の向きに回動可能に支持されている。
【００５４】
第２トレイ８２がストッパ８３を支持する構造は、公知の構造が採用される。本実施形態では、図８及び図９に示されるように、ストッパ８３の右面及び左面の後端部から左右方向９へ突出した突起１３１が、第２トレイ８２の凹部１２１の左右両端を形成する面１２１Ａ（図６参照）及び面１２１Ｂの前端部（つまり第２トレイ８２の前端部）に形成された孔１２４に挿入されることによって、ストッパ８３が第２トレイ８２の前端部によって回動可能に支持されている。なお、ストッパ８３は第２トレイ８２の前端部以外の部分によって回動可能に支持されていてもよい。
【００５５】
なお、図８及び図９に示されている突起８６、８７、１３１、１３２、凸部１２７、孔１２４、１２５、１２６は、図３〜図６において図示が省略されている。
【００５６】
ストッパ８３は、図６及び図９に示される第１位置と、図５及び図８に示される第２位置とに回動可能である。
【００５７】
図６及び図９に示されるように、第１位置のストッパ８３は、起立位置の第２トレイ８２の突出向き５１へ向かうにしたがって上方へ向かって突出している。つまり、ストッパ８３が第１位置のとき、ストッパ８３の回動先端８３Ａは、起立位置の第２トレイ８２の面１２２より上方に位置している。ストッパ８３が第１位置のとき、ストッパ８３の上面８３Ｂは、排出ローラ対６６によって排出されて面１２２に沿って突出向き５１へ進む用紙１５の先端（前端）と当接して、当該用紙１５が突出向き５１へ進むことを規制可能である。
【００５８】
図５及び図８に示されるように、第２位置のストッパ８３は、起立位置の第２トレイ８２の突出向き５１に沿って突出している。つまり、第２位置のストッパ８３の回動先端８３Ａは（図８参照）、第１位置のストッパ８３の回動先端８３Ａ（図９参照）よりも下方且つ前方に位置している。また、第２位置のストッパ８３の回動先端８３Ａは、第２トレイ８２より前方に位置している。ストッパ８３が第２位置のとき、ストッパ８３の上面８３Ｂは、排出ローラ対６６によって排出された用紙１５を支持可能である。
【００５９】
図８及び図９に示されるように、ストッパ８３の右面及び左面には、左右方向９へ突出した突起１３２が形成されている。また、第２トレイ８２の面１２１Ａ、１２１Ｂには、孔１２４の他に２つの孔１２５、１２６が形成されている。
【００６０】
図９に示されるように、ストッパ８３が第１位置に位置するとき、突起１３２は孔１２６に挿入されている。これにより、ストッパ８３が第１位置に保持される。図８に示されるように、ストッパ８３が第２位置に位置するとき、突起１３２は孔１２５に挿入されている。これにより、ストッパ８３が第２位置に保持される。突起１３２及び孔１２６は、保持部の一例である。なお、ストッパ８３を第１位置及び第２位置に保持するための構造は、上述した構造に限らず、公知の種々の構造が採用可能である。
【００６１】
図８に示されるように、ストッパ８３が第１位置から第２位置へ（矢印５２の向きへ）回動されるとき、または、図９に示されるように、ストッパ８３が第２位置から第１位置へ（矢印５３の向きへ）回動されるとき、突起１３２が孔１２５、１２６を形成する側面を押すことによって、ストッパ８３または第２トレイ８２の少なく一方が弾性変形する。当該弾性変形によって、突起１３２が孔１２５、１２６から抜ける。なお、突起１３２の先端部は、球面で構成されている。これにより、ストッパ８３が回動されるとき、突起１３２が孔１２５、１２６から抜けやすくなっている。
【００６２】
図８及び図９に示されるように、第２トレイ８２の面１２１Ａ、１２１Ｂには、左右方向９へ突出した凸部１２７が形成されている。凸部１２７の側面（換言すると面１２１Ｂと直交する面）は、少なくとも２つの面１２７Ａ（第１面の一例）及び面１２７Ｂ（第２面の一例）を備えている。
【００６３】
面１２７Ａの少なくとも一部、及び面１２７Ｂの少なくとも一部は、孔１２５、１２６の間に位置している。面１２７Ａは、矢印５２の向きを向いている。面１２７Ｂは、矢印５３の向きを向いている。
【００６４】
ストッパ８３が矢印５２、５３の向きに回動すると、突起１３２はストッパ８３と一体に回動する。このときの突起１３２の回動軌跡を含む仮想面（図８に一点鎖線で示されており、図８の紙面と直交する面）に対する面１２７Ａのなす角θ１（第１角の一例）、及び当該仮想面に対する面１２７Ｂのなす角θ２（第２角の一例）は、いずれも鈍角である。また、角θ１は、角θ２より大きい。
【００６５】
ストッパ８３が第２位置（図８参照）から第１位置（図９参照）へ矢印５３の向きに回動するとき、孔１２５を抜け出た突起１３２は、面１２７Ａに当接してガイドされる。このとき、凸部１２７は突起１３２に対して抵抗として作用する。換言すると、凸部１２７及び突起１３２はストッパ８３の第２位置から第１位置への回動に対して抵抗として作用する。凸部１２７及び突起１３２は、抵抗部の一例である。突起１３２または凸部１２７の少なくとも一方が弾性変形することによって、突起１３２は、凸部１２７を乗り越えて孔１２６へ挿入される。
【００６６】
ストッパ８３が第１位置（図９参照）から第２位置（図８参照）へ矢印５２の向きに回動するとき、孔１２６を抜け出た突起１３２は、面１２７Ｂに当接してガイドされる。このとき、凸部１２７は突起１３２に対して抵抗として作用する。換言すると、凸部１２７及び突起１３２はストッパ８３の第１位置から第２位置への回動に対して抵抗として作用する。突起１３２または凸部１２７の少なくとも一方が弾性変形することによって、突起１３２は、凸部１２７を乗り越えて孔１２５へ挿入される。
【００６７】
ここで、角θ１が角θ２より大きいため、移動する突起１３２にとって、面１２７Ａは面１２７Ｂよりも緩やかな傾斜面である。そのため、ストッパ８３の第２位置から第１位置への回動に対して凸部１２７及び突起１３２によって作用する抵抗は、ストッパ８３の第１位置から第２位置への回動に対して凸部１２７及び突起１３２によって作用する抵抗よりも小さい。つまり、ストッパ８３の第２位置から第１位置への回動は、ストッパ８３の第１位置から第２位置への回動よりも容易である。
【００６８】
なお、ストッパ８３の回動に対して抵抗を作用させるための構造は、上述した構造に限らず、公知の種々の構造が採用可能である。例えば、本実施形態とは逆に、突起１３２が第２トレイ８２の面１２１Ａ、１２１Ｂに形成され、孔１２５、１２５及び凸部１２７がストッパ８３の右面及び左面に形成されていてもよい。
【００６９】
［ガイド部８４及びコイルバネ８５］
図４（Ｂ）に示されるように、本体トレイ８０は、ガイド部８４を備えている。ガイド部８４は、本体トレイ８０の支持板１０１、一対の側板１０２、及び後板１０５に囲まれた空間に位置している。なお、本実施形態において、支持板１０１の下面１０１Ｂには、図示しないガイドレールが設けられており、ガイド部８４は、当該ガイドレールによって前後方向８に移動可能に支持されている。
【００７０】
ガイド部８４は、コイルバネ８５（付勢部材の一例）を介して後板１０５に接続されている。コイルバネ８５の前端は、ガイド部８４の後面に接続されており、コイルバネ８５の後端は、後板１０５に接続されている。なお、コイルバネ８５の後端は、後板１０５以外、例えば筐体１４に接続されていてもよい。ガイド部８４は、ストッパ８３より後方に位置しており、コイルバネ８５は、ガイド部８４より後方に位置している。つまり、コイルバネ８５は、ガイド部８４に対するストッパ８３の反対側に設けられている。コイルバネ８５は、ガイド部８４を前方へ付勢している。つまり、コイルバネ８５は、ガイド部８４をストッパ８３へ向けて付勢している。
【００７１】
ガイド部８４の前面８４Ａは、前方且つ下方を向いている。第２トレイ８２が倒伏位置の状態において、前面８４Ａは、前後方向８において、ストッパ８３と対向している。
【００７２】
なお、コイルバネ８５の有無は任意である。コイルバネ８５が設けられていない場合、ガイド部８４は、本体トレイ８０や筐体１４に固定される。
【００７３】
［突起８６、８７］
図８及び図９に示されるように、第２トレイ８２の面１２１Ａ、１２１Ｂには、２つの突起８６、８７が形成されている。
【００７４】
図９に示されるように、突起８６は、第１位置のストッパ８３に当接して、第１位置のストッパ８３が矢印５３の向き（換言すると第２位置から遠ざかる向き）に回動することを規制する。
【００７５】
図８に示されるように、突起８７（規制部の一例）は、第２位置のストッパ８３に当接して、第２位置のストッパ８３が矢印５２の向き（換言すると第１位置から遠ざかる向き）に回動することを規制する。
【００７６】
なお、ストッパ８３の回動を規制するための構造は、上述した構造に限らず、公知の種々の構造が採用可能である。
【００７７】
［第１トレイ８１及び第２トレイ８２の挿入及び引き出し動作］
以下、図３〜図６、図８、及び図９を参照しつつ、複合機１０のユーザが、第１トレイ８１及び第２トレイ８２を本体トレイ８０に挿入する動作、及び第１トレイ８１及び第２トレイ８２を本体トレイ８０から引き出す動作が説明される。
【００７８】
まず、第１トレイ８１及び第２トレイ８２が本体トレイ８０に挿入される動作が説明される。
【００７９】
図５に示される状態において、第１トレイ８１は突出位置に位置しており、第２トレイ８２は起立位置に位置しており、ストッパ８３は第２位置に位置している。当該状態では、本体トレイ８０の支持板１０１の上面１０１Ａ、第１トレイ８１の支持板１１１の上面１１１Ａ、第２トレイ８２の面１２２、及びストッパ８３の上面８３Ｂが、排出された用紙１５を支持可能である。
【００８０】
図５に示される状態から第１トレイ８１及び第２トレイ８２が本体トレイ８０に挿入される場合、最初に、第２トレイ８２が起立位置から倒伏位置に回動され（図４参照）、次に、第１トレイ８１が突出位置から収納位置へ向けて後方へスライドされる。
【００８１】
第１トレイ８１の突出位置から収納位置へのスライドの過程において、ストッパ８３が前方からガイド部８４の前面８４Ａに当接する。すると、ガイド部８４からストッパ８３に対して前向きの反力が作用する。これにより、突起１３２が孔１２５から抜けて、ストッパ８３は、ガイド部８４にガイドされつつ第２位置から第１位置へ回動する。そして、突起１３２が孔１２６に挿入されて、ストッパ８３は第１位置に保持される（図３参照）。このとき、ストッパ８３は、凹部１１３を介して第１トレイ８１より下方へ突出している。
【００８２】
なお、第１トレイ８１の突出位置から収納位置へのスライドの過程において、第１トレイ８１が収納位置へ近づくと、ガイドリブ１０３、１０４によって第１トレイ８１に対して制動力が作用する。
【００８３】
一方、図６に示される状態において、第１トレイ８１は突出位置に位置しており、第２トレイ８２は起立位置に位置しており、ストッパ８３は第１位置に位置している。当該状態では、本体トレイ８０の支持板１０１の上面１０１Ａ、第１トレイ８１の支持板１１１の上面１１１Ａ、及び第２トレイ８２の面１２２が、排出された用紙１５を支持可能である。また、ストッパ８３が、排出された用紙１５が突出向き５１へ進むことを規制可能である。
【００８４】
大きなサイズの用紙１５が排出される場合に、排出トレイ２１は図５の状態にされる。一方、当該大きなサイズの用紙１５よりも小さな用紙１５が排出される場合に、排出トレイ２１は図６の状態にされる。
【００８５】
図６に示される状態から第１トレイ８１及び第２トレイ８２が本体トレイ８０に挿入される場合、ストッパ８３が第１位置から第２位置に回動されてから（図５参照）、第２トレイ８２が起立位置から倒伏位置に回動され（図４参照）、第１トレイ８１が突出位置から収納位置へ向けて後方へスライドされる（図３参照）。この場合、図５に示される状態となってからの動作は、上記と同様である。
【００８６】
また、図６に示される状態から第１トレイ８１及び第２トレイ８２を本体トレイ８０が挿入される場合、ストッパ８３が第１位置の状態のまま（図６参照）、第２トレイ８２が起立位置から倒伏位置に回動され、第１トレイ８１が突出位置から収納位置へ向けて後方へスライドされてもよい（図３参照）。この場合、ストッパ８３は第１位置に保持されたままである。
【００８７】
つまり、第１トレイ８１及び第２トレイ８２がどのように本体トレイ８０に挿入されても、最終的に（図３に示された状態において）、ストッパ８３は第１位置に位置する。
【００８８】
次に、第１トレイ８１及び第２トレイ８２が本体トレイ８０から引き出される動作が説明される。
【００８９】
図３に示される状態において、第１トレイ８１は収納位置に位置しており、第２トレイ８２は倒伏位置に位置しており、ストッパ８３は第１位置に位置している。当該状態では、本体トレイ８０の支持板１０１の上面１０１Ａのみが、排出された用紙１５を支持可能である。
【００９０】
図３に示される状態から第１トレイ８１及び第２トレイ８２が本体トレイ８０から引き出される場合、最初に、第１トレイ８１が収納位置から突出位置にスライドされ、次に、第２トレイ８２が倒伏位置から起立位置に回動される（図６参照）。ストッパ８３は、第１トレイ８１及び第２トレイ８２が本体トレイ８０から引き出される過程において第１位置に保持されている。そのため、図３に示される状態から第１トレイ８１及び第２トレイ８２が本体トレイ８０から引き出されると、図５の状態ではなく図６の状態となる。
【００９１】
その後、大きなサイズの用紙１５が排出される場合には、ストッパ８３が第１位置から第２位置に回動されて図５の状態とされる。一方、当該大きなサイズの用紙１５より小さな用紙１５が排出される場合には、ストッパ８３は第１位置に保持される（図６参照）。
【００９２】
［実施形態の効果］
本実施形態によれば、第１トレイ８１が突出位置から収納位置へ移動する過程において、ストッパ８３は、ガイド部８４と当接してガイドされることによって、第１位置へ回動し、突起１３２及び孔１２６によって第１位置に保持された状態となる。これにより、第１トレイ８１が収納位置から突出位置へスライドされ、第２トレイ８２が倒伏位置から起立位置へ回動されたとき、ストッパ８３は第１位置である。そのため、排出された所定サイズの用紙１５をストッパ８３によって止めることができる。
【００９３】
また、本実施形態によれば、第１トレイ８１が突出位置のときに、ストッパ８３は第１位置及び第２位置に回動可能である。そのため、所定サイズよりも大きなサイズの用紙１５が排出される際にストッパ８３が第２位置に回動されることにより、当該用紙１５がストッパ８３に引っ掛かる可能性を低くできるとともに、当該用紙１５を第１トレイ８１、第２トレイ８２、及びストッパ８３によって支持することができる。
【００９４】
また、第１トレイ８１が突出位置から収納位置へ高速でスライドした場合、ストッパ８３が高速でガイド部８４に衝突して、ストッパ８３またはガイド部８４の少なくとも一方が破損するおそれがある。本実施形態によれば、第１トレイ８１の突出位置から収納位置へのスライド速度がガイドリブ１０３、１０４によって抑制される。そのため、前記のようなストッパ８３やガイド部８４の破損の可能性を低くすることができる。
【００９５】
また、本実施形態によれば、第１トレイ８１が突出位置から収納位置へスライドする過程において、収納位置へ近づく程、ガイドリブ１０３、１０４の間隔が狭くなり、ガイドリブ１０３の下面１０３Ａ及びガイドリブ１０４の上面１０４Ａが第１トレイ８１に押圧される。これにより、第１トレイ８１が収納位置へ近づく程、第１トレイ８１に対して大きな制動力を作用させることができる。
【００９６】
また、本実施形態によれば、ストッパ８３の第２位置から第１位置への回動においてストッパ８３に作用する抵抗は、ストッパ８３の第１位置から第２位置への回動においてストッパ８３に作用する抵抗よりも小さい。そのため、ガイド部８４によるストッパ８３の第２位置から第１位置へのガイドが容易である。
【００９７】
また、本実施形態によれば、突起１３２及び凸部１２７の簡易な構成で、ストッパ８３の回動に対して抵抗として作用する抵抗部の機能を実現することができる。
【００９８】
また、本実施形態によれば、ストッパ８３が当接することによるガイド部８４への衝撃をコイルバネ８５によって緩和することができる。これにより、ストッパ８３やガイド部８４の破損の可能性を低くすることができる。
【００９９】
また、ストッパ８３が必要以上に回動した場合、ストッパ８３が他の部材に衝突することなどによって、ストッパ８３が破損するおそれがある。本実施形態によれば、突起８６、８７がストッパ８３の必要以上の回動を規制するため、前記のようなストッパ８３の破損の可能性を低くすることができる。
【０１００】
［変形例］
上述した実施形態では、排出トレイ２１は、本体トレイ８０、第１トレイ８１、第２トレイ８２、及びストッパ８３を備えていた。しかし、排出トレイ２１は、第２トレイ８２を備えていなくてもよい。
【０１０１】
この場合、図１０に示されるように、第１トレイ８１には、その前端部から後方へ凹んだ凹部１１５が形成されている。ストッパ８３は、凹部１１５に位置しており、且つ第１トレイ８１によって回動可能に支持されている。
【０１０２】
また、筐体１４は、本体トレイ８０の前端部の下方に、左右方向９に延びたシャフト８８（ガイド部の一例）を備えている。
【０１０３】
また、ストッパ８３は、第１部分１４１と、第２部分１４２とを備えている。
【０１０４】
第１部分１４１は、ストッパ８３が図１０（Ｃ）に示される第１位置に位置する状態において、排出された用紙１５が前方を進むことを規制する。また、第１部分１４１は、ストッパ８３が図１０（Ｂ）に示される第２位置に位置する状態において、排出された用紙１５を支持可能である。
【０１０５】
第２部分１４２は、第１部分１４１から下方へ突出している。第２部分１４２は、シャフト８８の前方に位置しており、前後方向８においてシャフト８８と対向している。
【０１０６】
図１０（Ｂ）に示される状態において、第１トレイ８１は突出位置に位置しており、ストッパ８３は第２位置に位置している。当該状態では、本体トレイ８０の支持板１０１の上面１０１Ａ、第１トレイ８１の支持板１１１の上面１１１Ａ、及びストッパ８３の上面８３Ｂが、排出された用紙１５を支持可能である。
【０１０７】
図１０（Ｂ）に示される状態から第１トレイ８１が後方へスライドされて本体トレイ８０に挿入されると、ストッパ８３の第２部分１４２が前方からシャフト８８に当接する。すると、シャフト８８からストッパ８３に対して前向きの反力が作用する。これにより、ストッパ８３は、シャフト８８にガイドされつつ図１０の時計回りに、つまり第２位置から第１位置に回動する（図１０（Ａ）参照）。
【０１０８】
図１０（Ｃ）に示される状態において、第１トレイ８１は突出位置に位置しており、ストッパ８３は第１位置に位置している。当該状態では、本体トレイ８０の支持板１０１の上面１０１Ａ、及び第１トレイ８１の支持板１１１の上面１１１Ａが、排出された用紙１５を支持可能である。また、ストッパ８３が、排出された用紙１５が前方へ進むことを規制可能である。
【０１０９】
図１０（Ｃ）に示される状態から第１トレイ８１が後方へスライドされて本体トレイ８０に挿入される場合、ストッパ８３は第１位置の状態のままである（図１０（Ａ）参照）。
【０１１０】
図１０（Ａ）に示される状態において、第１トレイ８１は収納位置に位置しており、ストッパ８３は第１位置に位置している。当該状態では、本体トレイ８０の支持板１０１の上面１０１Ａのみが、排出された用紙１５を支持可能である。
【０１１１】
図１０（Ａ）に示される状態から第１トレイ８１が本体トレイ８０から引き出される場合、ストッパ８３は第１位置の状態のままである（図１０（Ｃ）参照）。
【０１１２】
上述した実施形態では、搬送装置は、プリンタ部１２において画像を記録される用紙１５が搬送されるものであったが、搬送装置はこれに限らない。例えば、搬送装置は、スキャナ部１１において画像を読み取られる用紙が搬送されるものであってもよい。
【符号の説明】
【０１１３】
１４・・・筐体
１５・・・用紙（シート）
２３・・・搬送路
８１・・・第１トレイ（トレイ）
８２・・・第２トレイ（トレイ）
８３・・・ストッパ
８４・・・ガイド部
１１１・・・支持板
１１１Ａ・・・支持板の上面（支持面）
１２６・・・孔（保持部）
１３２・・・突起（保持部）
【図１】
2020050490.tif 000003
【図２】
2020050490.tif 000004
【図３】
2020050490.tif 000005
【図４】
2020050490.tif 000006
【図５】
2020050490.tif 000007
【図６】
2020050490.tif 000008
【図７】
2020050490.tif 000009
【図８】
2020050490.tif 000010
【図９】
2020050490.tif 000011
【図１０】
2020050490.tif 000012